(57)【要約】【課題】  本発明は手軽に携帯できるとともに、事件や事故発生時の鑑識活動の際には、十分な明るさの水平照射を有し、血液や体液等の調査にも使用できる携帯探照灯を得るにある。【解決手段】  ほぼ長方体形状に形成された照明部と該照明部のほぼ中央部位に形成された握り部とからなる携帯探照灯本体と、前記照明部内に位置するように取付けられた少なくとも５個以上の発光ダイオードおよび紫外発光ダイオードと、この少なくとも５個以上の発光ダイオードおよび紫外発光ダイオードを任意に点灯、消灯させることができる切替スイッチを備えた点灯回路とで携帯探照灯を構成している。【選択図】  図２
2005150067.tif 000002
【特許請求の範囲】
【請求項１】
ほぼ長方体形状に形成された照明部と該照明部のほぼ中央部位に形成された握り部とからなる携帯探照灯本体と、前記照明部内に位置するように取付けられた少なくとも５個以上の発光ダイオードおよび紫外発光ダイオードと、この少なくとも５個以上の発光ダイオードおよび紫外発光ダイオードを任意に点灯、消灯させることができる切替スイッチを備えた点灯回路とからなることを特徴とする携帯探照灯。
【請求項２】
ほぼ長方体形状に形成された照明部と該照明部のほぼ中央に形成された握り部とからなる携帯探照灯本体と、前期照明部内に位置するように取付けられた少なくとも５個以上の発光ダイオードおよび紫外発光ダイオードと、この少なくとも５個以上の発光ダイオードおよび紫外発光ダイオードを任意に点灯、消灯させることができる切替スイッチを備えた点灯回路と、点灯回路に介装されたパルス駆動回路からなることを特徴とする携帯探照灯。
【請求項３】
ほぼ長方体形状に形成された照明部と該照明部のほぼ中央部位に形成された握り部とからなる携帯探照灯本体と、前記照明部内に位置するように取付けられた少なくとも５個以上の発光ダイオードと、この少なくとも５個以上の発光ダイオードを任意に点灯、消灯させることができる切替スイッチを備えた点灯回路とからなることを特徴とする携帯探照灯。
【請求項４】
携帯探照灯本体は平らな所に置いた場合に水平になるよう、照明部と握り部をほぼ同一の高さ寸法に形成し、表にしても裏にしても同様に使用できることを特徴とする請求項１、請求項２および請求項３に記載の携帯探照灯。
【請求項５】
最良の照射状態に保てるように、携帯探照灯本体に照射角度調整機構を備えたことを特徴とする請求項１、請求項２および請求項３に記載の携帯探照灯。
【発明の詳細な説明】
【技術分野】
【０００１】  本発明は事件や事故発生時の鑑識活動の際に使用する携帯探照灯に関する。
【背景技術】
【０００２】  従来この種の携帯探照灯は、特に専用のものはなく、探照灯では大きすぎて大掛かりになるため、鉄道機関等で使用されるハロゲン式やキセノン式の照明装置が用いられている。【０００３】  従来のこの種の照明装置では、鑑識活動における床面や道路に落ちている毛髪や細かな破損片等を探すための水平照射が不十分であるばかりか、血液や体液等の調査には、ＵＶランプ等を新たに準備しなければならないという欠点があった。
また、従来のこの種の照明装置は電球の寿命が短とともに、発熱しやすいので装置そのものが熱を持ち、長時間使用できないという欠点があった。
【特許文献１】    特になし
【発明の開示】
【発明が解決しようとする課題】
【０００４】  本発明は以上のような従来の欠点に鑑み、手軽に携帯できるとともに、事件や事故発生時の鑑識活動の際には、十分な明るさの水平照射を有し、血液や体液等の調査にも使用できる携帯探照灯を提供することを目的としている。【０００５】  本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】  上記目的を達成するために、ほぼ長方体形状に形成された照明部と該照明部のほぼ中央部位に形成された握り部とからなる携帯探照灯本体と、前記照明部内に位置するように取付けられた少なくとも５個以上の発光ダイオードおよび紫外発光ダイオードと、この少なくとも５個以上の発光ダイオードおよび紫外発光ダイオードを任意に点灯、消灯させることができる切替スイッチを備えた点灯回路とで携帯探照灯を構成している。
【発明の効果】
【０００７】  以上の説明から明らかなように、本発明にあっては次に列挙する効果が得られる。【０００８】（１）ほぼ長方体形状に形成された照明部と該照明部のほぼ中央部位に形成された握り部とからなる携帯探照灯本体と、前記照明部内に位置するように取付けられた少なくとも５個以上の発光ダイオードおよび紫外発光ダイオードと、この少なくとも５個以上の発光ダイオードおよび紫外発光ダイオードを任意に点灯、消灯させることができる切替スイッチを備えた点灯回路とからなるので、手軽に十分な明るさの水平照射を得ることができる。
したがって、従来の照明装置に比べて鑑識活動における床面や道路等に落ちている毛髪や細かな破損片等をより早く正確に発見することができる。【０００９】（２）前記（１）によって、血液や体液等の調査にも使用することができる。
したがって、ＵＶランプ等を新たに準備しなくとも、肉眼では見落とすほどのかすかな血痕や体液等の調査を効率よく行うことができる。【００１０】（３）前記（１）によって、探照灯にほとんど熱を発生しない状態で点灯させることができる。
したがって、長時間連続使用することができ、現場での鑑識活動を効果的に行うことができる。【００１１】（４）前記（１）によって、構造が簡単で持ち運びに便利で使いやすく、安価に製造することができる。【００１２】（５）請求項２、３、４、５も前記（１）〜（４）と同様な効果が得られる。
【発明を実施するための最良の形態】
【００１３】  以下、図面に示す本発明を実施するための最良の形態により、本発明を詳細に説明する。
【実施例１】
【００１４】  図１ないし図７に示す本発明を実施するための最良の第１の形態において、１は本発明の携帯探照灯で、この携帯探照灯１は全体あるいは前面が透明あるいは半透明の部材で形成されたほぼ長方体形状の照明部２と、該照明部２のほぼ中央部位より後方へ突出するように形成された手で握ることができる筒状の握り部３とからなる携帯探照灯本体４と、前記照明部２内に位置し、前方に照射できる方向で横一列状態に取付けられた少なくとも５個以上の発光ダイオード５と、前記発光ダイオード５に平行する部位に前記発光ダイオード５同様に横一列状態に取付けられた少なくとも５個以上の紫外発光ダイオード６と、前記探照灯本体４内に介装された前記発光ダイオード５と紫外発光ダイオード６を任意に点灯あるいは消灯させる事ができる切り替えスイッチ７を備えた点灯回路８とで構成されている。【００１５】  前記発光ダイオード５および紫外発光ダイオード６は、それぞれ複数個直列接続されたものが複数個並列接続されている。【００１６】  前記点灯回路８は図５に示すように、前記発光ダイオード５および紫外発光ダイオード６と電気的に接続された電源としての電池９と、切替スイッチ７と、よりスムーズな点灯状態にするために通常用いられる複数個直列接続された発光ダイオード５および紫外発光ダイオード６に介装された抵抗１０とで構成されている。【００１７】  上記構成の携帯探照灯１は、事件や事故発生時の鑑識活動の際に、床面や道路等１１に落ちている毛髪や細かな破損片等の証拠品を探すときに使用する場合は、切替スイッチ７により発光ダイオード５だけを点灯させ、床面や道路等１１に対して水平に置いた常態で身を低くして探す。【００１８】  血液や体液等の有無を調査するときに使用する場合は、切替スイッチ７により紫外発光ダイオード６だけを点灯させ、場合によっては携帯探照灯１を上下反転させて設置した状態で使用する。
また、ルミノール等の薬品を使用した後に紫外発光ダイオード６だけを照射すれば、より鮮明に血液反応が確認できる。
なお、本実施の形態では発光ダイオード５および紫外発光ダイオード６は横一列状態のものについて説明したが、照明部の形状に応じて適宜何列にしてもよい。
また、発光ダイオード５、紫外発光ダイオードおよび灯回路８の接続に関しても、十分な明るさが得られるのであればどのような接続方法を用いてもよい。【００１９】  次に、図８ないし図２２に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【実施例２】
【００２０】  図８および図９に示す本発明を実施するための第２の形態において、前記本発明を実施するための最良の第１の形態と主に異なる点は、前記点灯回路８にパルス駆動回路１２、１２を介装した点で、このようにパルス駆動回路１２、１２を介装した点灯回路８Ａを用いた携帯探照灯１Ａにしても、前記本発明を実施するための最良の第１の形態と同様な作用効果が得られるとともに、パルス駆動回路１２、１２を用いることにより発光ダイオード５および紫外発光ダイオード６に通常の数倍の電流を流すことができるので、より明るく、しかも経済的に使用することができる。
【実施例３】
【００２１】  図１０および図１１に示す本発明を実施するための第３の形態において、前記本発明を実施するための最良の第１の形態と主に異なる点は、前記発光ダイオード５および紫外発光ダイオード６を交互に横一列状態に取付けた点で、このように構成した携帯探照灯１Ｂにしても、前記本発明を実施するための最良の第１の形態と同様な作用効果が得られる。
【実施例４】
【００２２】  図１２および図１３に示す本発明を実施するための第４の形態において、前記本発明を実施するための最良の第１の形態と主に異なる点は、前記発光ダイオード５だけを横一列状態に取付けた点で、このように構成した携帯探照灯１Ｃにしても、血液や体液等の調査には使用できないが前記本発明を実施するための最良の第１の形態と同様な作用効果が得られる。
【実施例５】
【００２３】  図１４および図１５に示す本発明を実施するための第５の形態において、前記本発明を実施するための最良の第１の形態と主に異なる点は、前面部を弧状に形成したの照明部２Ａを用いて携帯探照灯本体４Ａを構成した点で、このような携帯探照灯本体４Ａを用いた携帯探照灯１Ｄにしても、前記本発明を実施するための最良の第１の形態と同様な作用効果が得られるとともに、より広角度に安定した照度を提供できる。
【実施例６】
【００２４】  図１６および図１７に示す本発明を実施するための第６の形態において、前記本発明を実施するための最良の第１の形態と主に異なる点は、前記照明部２と前期握り部３をヒンジ部材１３を介して接続した点で、このように構成された携帯探照灯本体４Ｂを用いた携帯探照灯１Ｅにしても、前記本発明を実施するための最良の第１の形態と同様な作用効果が得られるとともに、多少平らでないところでも照射角度を自由に調整し、最良の状態で使用することができる。
【産業上の利用可能性】
【００２５】
【００２６】本発明は照明装置、探照灯等を製造する産業で利用される。
【図面の簡単な説明】
【００２７】
【図１】本発明を実施するための最良の第１の形態の正面図。
【図２】本発明を実施するための最良の第１の形態の平面図。
【図３】本発明を実施するための最良の第１の形態の背面図。
【図４】本発明を実施するための最良の第１の形態の側面図。
【図５】本発明を実施するための最良の第１の形態の点灯回路の説明図。
【図６】本発明を実施するための最良の第１の形態の使用状態の説明図。
【図７】血液や体液等の調査に使用する場合の説明図。
【図８】本発明を実施するための第２の形態の平面図。
【図９】本発明を実施するための第２の形態の点灯回路の説明図。
【図１０】本発明を実施するための第３の形態の正面図。
【図１１】本発明を実施するための第３の形態の平面図。
【図１２】本発明を実施するための第４の形態の正面図。
【図１３】本発明を実施するための第４の形態の平面図。
【図１４】本発明を実施するための第５の形態の正面図。
【図１５】本発明を実施するための第５の形態の平面図。
【図１６】本発明を実施するための第６の形態の平面図。
【図１７】本発明を実施するための第６の形態の側面図。
【符号の説明】
【００２８】１、１Ａ、１Ｂ、１Ｃ、１Ｄ、１Ｅ：携帯探照灯、
２：照明部、                    ３：握り部、
４、４Ａ、４Ｂ：携帯探照灯本体、５：発行ダイオード、
６：紫外発行ダイオード、        ７：切換えスイッチ
８、８Ａ：点灯回路、            ９：電池、
１０：抵抗、                    １１：床や道路、
１２：パルス駆動回路枢、        １３ヒンジ部材。
【図１】
2005150067.tif 000003
【図２】
2005150067.tif 000004
【図３】
2005150067.tif 000005
【図４】
2005150067.tif 000006
【図５】
2005150067.tif 000007
【図６】
2005150067.tif 000008
【図７】
2005150067.tif 000009
【図８】
2005150067.tif 000010
【図９】
2005150067.tif 000011
【図１０】
2005150067.tif 000012
【図１１】
2005150067.tif 000013
【図１２】
2005150067.tif 000014
【図１３】
2005150067.tif 000015
【図１４】
2005150067.tif 000016
【図１５】
2005150067.tif 000017
【図１６】
2005150067.tif 000018
【図１７】
2005150067.tif 000019